(57)【特許請求の範囲】
【請求項１】
容器本体にゴムプロテクタを取付けたステンレス容器であって、リブを有し、
容器本体は、オーステナイト系ステンレス鋼製であり、第１成形体と、第２成形体とを含む少なくとも２部分を溶接接合して組立てられた中空容器であり、
各々の成形体は、上底又は下底となる鏡と、胴部の一部となる一端が開放された筒状部分とを含む形状に深絞り冷間加工により成形されたものであり、
両成形体の筒状部分の開口縁は、直接又は中間胴を介して接合され、
リブは、円弧状をなし、上鏡又は下鏡の少なくとも一方の鏡の外周領域に溶接され、プロテクタの高さの範囲内の立上り高さで、鏡面上に鏡の面に対して角度をなして立上らせたものであり、
リブの立上り部分は、ゴムプロテクタに埋め込まれ、ゴムプロテクタを立上り部分の面で支えて、外力を分散させ、且つ鏡面上へのゴムプロテクタの倒れ込みを阻止し、ゴムプロテクタに加えられる衝撃から鏡面の陥没を阻止するものであり、
ゴムプロテクタは、環状をなし、リブを埋めて鏡の面と胴部の一部とに跨って接着されたものであることを特徴とするステンレス容器。
【請求項２】
ゴムプロテクタは、周面一部に水抜き孔が開口されたものであり、
リブは、円弧状のセグメントであり、ゴムプロテクタの開口を除いて鏡面の同一円周上に配置されているものであることを特徴とする請求項１に記載のステンレス容器。
【請求項３】
鏡面の外周側に張出した第１のリブに加えて内周側に張出した第２のリブを有し、
第２のリブの立上り部分は、第１のリブの立上り部分を越えて内側に倒れこんだゴムプロテクタの変形を支えるものであることを特徴とする請求項１に記載のステンレス容器。
【請求項４】
リブは、鏡面の内周側と外周側との２条の立上り部分によって山型に形成されたものであり、
内外の両立上り部分は、鏡面の上で互いに支えあってリブの機械的強度を増大させ、リブ内にゴムが充填されない空間を形成するものであることを特徴とする請求項３に記載のステンレス容器。
【請求項５】
リブの立上り部分は、屈曲部分を有し、
リブの屈曲部分は、鏡面の内側又は外側に屈曲してゴムプロテクタに対する結合強度を高めるものであることを特徴とする請求項１に記載のステンレス容器。
【請求項６】
リブには、補強材が付設され、
補強材は、鏡面の内周側に面するリブの面に密着させ、リブを内側から支えてその折れ曲りを防止するものであることを特徴とする請求項１，２，３，４，又は５に記載のステンレス容器。
【発明の詳細な説明】
【０００１】
【産業上の利用分野】
本発明は、ゴムプロテクタを取付けた飲料用のステンレス容器に関する。
【０００２】
【従来の技術】
生ビールをはじめ、各種飲料用の充填容器には、通常ステンレス容器が用いられ、容器本体の上下縁には、環状のプロテクタが取付けられる。プロテクタは、容器本体の上鏡及び下鏡の周囲を覆って、鏡面を保護するとともに、下プロテクタは、容器本体を定置するときのスタンドとなり、上プロテクタは、段積みの際に、上段容器を支える支持座となるものである。
【０００３】
従来、プロテクタには、容器本体と同一材質のステンレス材が主として用いられていた。ステンレスプロテクタは、深絞り加工されたステンレス製容器本体の上周縁及び下周縁に溶接されるのが通例であるが、あるいは、ステンレスの円筒の上，下内周面に上鏡及び下鏡を溶接して上鏡及び下鏡より上，下に張り出してプロテクタ部分を形成する例もある。
【０００４】
いずれにしても、プロテクタがステンレスであるときには、堅牢であるが、例えば、生ビールが充填されたときに容器は可成りの重量物となる。このため、運搬時の積み込み，積み降しの際に、容器を誤って落下させたり、また、床上に激しく衝突させたりすると、単に騒音を発するだけでなく、容器が変形し、あるいは破損することがあり、殊に容器が傾いて落下したときには、下プロテクタが局部的に変形して正常な正立姿勢で定置できず、段積みが困難となる。
【０００５】
【発明が解決しようとする課題】
上記問題を解決するには、プロテクタに環状ゴムプロテクタを使用することが考えられる。実際に容器本体の上，下にゴムプロテクタを取付けた例が登録意匠第６３５０３４号（運搬用たる）に示されている（図１１参照）。
【０００６】
図１１において、ゴムプロテクタを用いるときには、強度保持のため、環状部分に或る程度の厚みが必要であり、したがって、プロテクタ２０は、容器本体２１の上鏡２２及び下鏡２３の滑らかな曲面上に接着することにならざるを得ない。図１１のたるは、比較的細長い容器であり、上鏡２２及び下鏡２３の面積も小さいため、強度上格別問題はなさそうである。しかし、ビア樽では、容器本体をステンレス板の深絞り加工により成形したときに、容器の胴部は加工硬化してその強度が著しく高まるが、プロテクタの取付部となる上，下鏡の面は平坦のため、殆ど歪みが生ぜず、加工前のステンレス板の強度と変らない。
【０００７】
このため、強度が低いままの上，下鏡の面上に図１２のようにゴムプロテクタ３０が取付けられると、段積みにより垂直方向から荷重を受けたり、転倒などによりゴムプロテクタから衝撃を受けたときにその取付部分の上鏡又は下鏡の面３１が３１’のように陥没し、陥没の程度によっては、ゴムプロテクタ３０の形態が崩れて段積み不能となり、また、定置の安定性を欠くことになる。
【０００８】
本発明の目的は、ゴムプロテクタの取付部分が容易に変形しないステンレス容器を提供することにある。
【０００９】
上記目的を達成するため、本発明によるステンレス容器においては、容器本体にゴムプロテクタを取付けたステンレス容器であって、リブを有し、
容器本体は、オーステナイト系ステンレス鋼製であり、第１成形体と、第２成形体とを含む少なくとも２部分を溶接接合して組立てられた中空容器であり、
各々の成形体は、上底又は下底となる鏡と、胴部の一部となる一端が開放された筒状部分とを含む形状に深絞り冷間加工により成形されたものであり、
両成形体の筒状部分の開口縁は、直接又は中間胴を介して接合され、
リブは、円弧状をなし、上鏡又は下鏡の少なくとも一方の鏡の外周領域に溶接され、プロテクタの高さの範囲内の立上り高さで、鏡面上に鏡の面に対して角度をなして立上らせたものであり、
リブの立上り部分は、ゴムプロテクタに埋め込まれ、ゴムプロテクタを立上り部分の面で支えて、外力を分散させ、且つ鏡面上へのゴムプロテクタの倒れ込みを阻止し、ゴムプロテクタに加えられる衝撃から鏡面の陥没を阻止するものであり、
ゴムプロテクタは、環状をなし、リブを埋めて鏡の面と胴部の一部とに跨って接着されたものである。
【００１０】
また、ゴムプロテクタは、周面一部に水抜き孔が開口されたものであり、
リブは、円弧状のセグメントであり、ゴムプロテクタの開口を除いて鏡面の同一円周上に配置されているものである。
【００１２】
また、鏡面の外周側に張出した第１のリブに加えて内周側に張出した第２のリブを有し、
第２のリブの立上り部分は、第１のリブの立上り部分を越えて内側に倒れこんだゴムプロテクタの変形を支えるものである。
【００１３】
また、リブは、鏡面の内周側と外周側との２条の立上り部分によって山型に形成されたものであり、
内外の両立上り部分は、鏡面の上で互いに支えあってリブの機械的強度を増大させ、リブ内にゴムが充填されない空間を形成するものである。
【００１４】
また、リブの立上り部分は、屈曲部分を有し、
リブの屈曲部分は、鏡面の内側又は外側に屈曲してゴムプロテクタに対する結合強度を高めるものである。
【００１５】
また、 リブには、補強材が付設され、
補強材は、鏡面の内周側に面するリブの面に密着させ、リブを内側から支えてその折れ曲りを防止するものである。
【００１６】
【作用】
リブは、鏡面に溶接され、その立上り部分でゴムプロテクタを支えてゴムプロテクタに加えられる衝撃から鏡面の陥没を阻止する。リブは、鏡面の全周に設置するものであるため、基本的には環状の立上り部分を有するものであるが、ゴムプロテクタに水抜き孔が開口されているものでは、その部分を切除して円弧状のものを用いる。リブの立上り部分は、直角又は内外方向に角度をなして立上らせた部分であり、１条又は内外２条以上に設けてもよい。２条の立上り部分を設けたときには、両立上り部分間にゴムプロテクタのゴムが充填され、各々の立上り部分でゴムプロテクタが支えられる。
【００１７】
また、２条の立上り部分を鏡面上で互いに支え合わせれば、リブ自体の機械的強度が増大する。さらに、立上り部分に折曲部分を設ければ、リブとゴムプロテクタとの結合強度が高まり、特に外側に傾く折曲部分を設けたときには、さらにゴムプロテクタの倒れ込みを有効に阻止できる。
【００１８】
リブに補強材を付設したものでは、ゴムプロテクタに局部的な力が加えられたときに、補強材がリブの内面側を支えてその力を分散し、リブの局部的変形による鏡面の陥没が阻止される。
【００１９】
【実施例】
以下に本発明の実施例を図によって説明する。図１は、本発明を適用したビア樽を示している。容器本体１は、実施例の場合、第１成形体２と、第２成形体３との組合せであり、いずれも、オーステナイト系ステンレス板の深絞り冷間加工によって成形加工されたものである。第１成形体２は、上鏡４と筒状の上胴部５とを含む形状に賦型され、第２成形体３は、下鏡６と筒状の下胴部７とを含む形状に賦型されている。上，下胴部５，７を筒の開口縁において互いに接合して容器本体１の胴部を形成し、上鏡４を上底，下鏡６を下底とする中空容器に組立てる点は従来の容器本体と同じである。中間胴を用いる場合には、両成形体の筒状部分の開口縁がそれぞれ中間胴に接合される。上鏡４の中央には口金８が取付けられている。
【００２０】
実施例においては、下鏡６の鏡面外周領域にリブ９を溶接し、このリブ９をゴムプロテクタ１０内に埋め込み、鏡面と下胴部７の一部とに跨ってゴムプロテクタ１０を焼付けて取付けた例を示している。なお、上鏡４の鏡面には、鏡の外周領域に環状の段差１１を２段以上同心状に賦型し、中央領域には、鏡の中心から環状の段差１１に向けて鏡面一部を立上らせて突条１２を放射状に賦型して鏡面の強度を増大させた例を示している。
【００２１】
実施例では、リブ９を下鏡６に設ける例を説明するが、リブ９は、上鏡４に設けることも勿論できる。鏡面に環状の段差１１や放射状の突条１２を賦型したときには、オーステナイト系ステンレス鋼板の特性によって加工歪が生じ、鏡面の強度が増大するが、鏡面の賦型に伴って内面側にも凹凸に賦型されることになる。しかし、リブ９を鏡面に溶接したものでは、鏡面の面は平滑のままである。
【００２２】
リブの取付けに際しては、図２（ａ）において、下鏡６の場合、その鏡面は、中心から周縁部にかけて滑らかな曲面で上傾しているため、鏡面上に直角に取付けたときに上方に張出した立上り部分は、ゴムプロテクタの外面方向に傾斜することになる。しかし、鏡面に対しリブの立上り部分のなす角度は、何ら限定されるものではない。図３のように、垂直に立上っていてもよいし、あるいは内側に傾いて立上るものであってもよい。
【００２３】
図２（ｂ）に、リブ９の平面形状並びに配置例を示す。リブ９は、プロテクタ１０の高さの範囲内の立上り高さを有する環状であるが、鏡面への取付けに際しては、プロテクタの要所に把手を兼ねた水抜き孔が形成されるため、水抜き孔の開口１３を除いて鏡面に取付ける必要から、円弧状のセグメントを同一円周上に配置して取付けることになる。これは、リブ９を上鏡４に取付ける場合であっても同じである。リブ９を上鏡４に取付けた例を図４に示す。
【００２４】
図２（ａ）において、容器の運搬の際、特に積み卸しの際に、容器が床面に衝突して矢印方向の力がゴムプロテクタ１０に加えられたときに、プロテクタ１０は、内側に倒れ込もうとするが、少なくともリブ９の張出し長さの範囲内では、プロテクタ１０に加えられる力は、リブ９の立上り部分の面に支えられて鏡面には直接作用せず、リブ９より下方のゴムプロテクタ１０の部分の倒れ込みによる力がリブ９の内側の鏡面に加えられるのみのため、余程大きな力を受けない限り、鏡面の陥没には到らない。しかも、リブ９は円弧状をなして鏡面の外周領域の一定範囲に渡って取付けられているため、外力は分散し、リブを通して鏡面に局部的な力が加えられることもない。
【００２５】
図５は、内外同心状に２条のリブを設けた例であり、鏡面の外周側に向けて傾斜状に張り出した第１のリブ９の立上り部分に加えて鏡面の内周側に張り出した立上り部分を有する第２のリブ１４を傾斜状に並設した例を示している。この構造によれば、第１のリブ９の立上り部分を越えて内側に倒れ込んだゴムプロテクタ１０の変形は、第２のリブ１４の立上り部分に支えられてその内側の鏡面に局部的な力が加えられることは殆どない。
【００２６】
図６は、山型のリブを用いた例である。この例も、第１のリブ９と第２のリブ１４との２条リブを並設した構造に相当するが、山型のリブの両端を鏡面に溶接することにより、第１のリブ９と第２のリブ１４との両立上り部分が互いに支え合うことになり、リブ自体の機械的強度が増大する。なお、両リブ９，１４間には空間が形成されることになるが、この空間内にはゴムプロテクタ１０のゴムは充填されない。
【００２７】
図７は、リブ９の立上り部分に屈曲部１５を設けた例である。立上り部分に対する屈曲部１５は、鏡面の内方又は外方の何れであってもよく、屈曲部１５を立上り部分の少なくとも一部に形成することによってゴムプロテクタ１０のゴムとリブ９との結合強度が高まり、特に図７のように鏡面の外周側に折曲させたときには、屈曲部１５がゴムプロテクタ１０の廻り込みを抑えてその倒れ込みを有効に防止できる。
【００２８】
以上、実施例には、下鏡６の鏡面にリブ９又は９，１４を取り付けてこれをゴムプロテクタ１０内に埋め込んだ例を説明したが、図４のように上鏡４にリブ９又は９，１４を取付けてこれを上プロテクタ内に埋設した場合や、さらに、図５〜図７のリブの構造を上鏡４に適用した場合でもその作用は全く同じである。上プロテクタに適用したときには段積みの際に上方から受ける衝撃、あるいは倒立姿勢で設置するときに床面から受ける衝撃、さらに転倒時の衝撃から鏡面を有効に保護できる。
【００２９】
もっとも、鏡面の陥没をさらに有効に防止するには、リブ自体をさらに補強することが望ましい。鏡面にリブ９を有していても、リブ９が単純な円環状のものでは、容器が落下、あるいは転倒し、コンクリートの角などにプロテクタが衝突したときには、図１０（ａ），（ｂ）に示すように局部的に大きな外力Ｆが加えられると、リブ９が内側に折れ曲り、鏡面を変形させることもあり得る。
【００３０】
このような現象を防止するには、厚肉のリブを用いることによっても解決できるが、ビア樽などのように形状，寸法，重量などの規制を受ける容器にあっては、厚肉のリブを用いると重量増となるため、厚肉のリブを採用することは難しい。本実施例では重量増を伴わず、軽量で剛性を有する材質の補強材をリブの内周に嵌め込んでリブの内面に密着させ、リブを内側から支えてその折れ曲りを防止するものである。図８は、図３に示す下プロテクタのリブ９に補強材１６を付設した例である。補強材１６は、円環状であり、リブ９の内側に嵌め合わせて鏡面の内周側に面するリブ９の内面に付設した例を示している。
【００３１】
図中、補強材１６として断面形状が矩形状のものを用いているが、矩形に限らず、リブ９の内面に密着できるものであれば、台形その他の角形形状であってもよい。図９は、図２の下プロテクタ内のリブ９に補強材１６を付設した例である。この例では、断面形状が台形の補強材１６を用い、ゴムプロテクタ１０の外周方向に傾斜するリブ９の内面に補強材１６を付設して補強材１６の内面をほぼ垂直に立上らせている。
【００３２】
補強材１６には、その材質にＦＲＰを用いるのが好ましい。ＦＲＰは、軽量であり、ばね性を有し、復元性に優れ、金属のように折れ曲ることがない。容器の落下，転倒などによって、図８のようにゴムプロテクタ１０に矢印にて示す局部的な外力Ｆが加えられたときに、その力Ｆは、リブ９に加えられるが、その内面を支える補強材１６に受け止められて力が分散され、リブ９自体の局部的な変形により倒れ込みが生じないため、鏡面の局部的な陥没を防止できる。
【００３３】
本実施例によれば、リブ９によるゴムプロテクタの倒れ込みの防止とともにリブ９自体の倒れ込みを防止して局部的に鏡面の陥没を防止し、補強材１６の付設によりリブに薄鋼板を用いて容器の軽量化を図ることが可能となる。
【００３４】
【発明の効果】
以上のように本発明によるときには、鏡面に溶接されたリブが容器本体の鏡面と一体となって剛性を発揮し、プロテクタを支持しているため、容器の運搬中などに転落してゴムプロテクタに局部的に大きな衝撃力が加えられても鏡面が容易に変形することはない。
【００３５】
リブの断面形状については、容器の種類，用途によって最適のものを採用するが、リブが単純な形状のものでは、リブの内面に補強材を張付けて鏡面の剛性を高めることができる。
【００３６】
本発明によって、容器の形状，寸法，重量，外観を変えることなく、容器本体の鏡面の剛性を容易に高くすることが可能となり、製造コストも安くすることができるため、ビア樽など飲料運搬容器として広く利用できる。本発明は、ビア樽に限らず、ジュースその他の飲料用充填容器に広く利用できる。
【図面の簡単な説明】
【図１】本発明の一実施例を示す一部断面正面図である。
【図２】（ａ）は下プロテクタの取付部分を示す要部拡大断面図、（ｂ）は下鏡部分の一部を示す平面図である。
【図３】他の実施例を示す下プロテクタの要部拡大断面図である。
【図４】上プロテクタにリブを取付けた例を示す要部拡大断面図である。
【図５】他の実施例を示す下プロテクタの要部拡大断面図である。
【図６】他の実施例を示す下プロテクタの要部拡大断面図である。
【図７】他の実施例を示す下プロテクタの要部拡大断面図である。
【図８】リブに補強材を付設した実施例を示す下プロテクタの要部拡大断面図である。
【図９】リブに補強材を付設した他の実施例を示す下プロテクタの要部拡大断面図である。
【図１０】リブの変形による問題点を示すもので、（ａ）は、プロテクタの取付部分を示す要部拡大断面図、（ｂ）は、下鏡部分の一部を示す断面図である。
【図１１】ゴムプロテクタを有する従来の運搬用たるの一例を示す横断面図である。
【図１２】ビア樽にゴムプロテクタを取付けたときの問題点を示す図である。
【符号の説明】
１  容器本体
２  第１成形体
３  第２成形体
４  上鏡
５  上胴部
６  下鏡
７  下胴部
８  口金
９  リブ（第１のリブ）
１０  ゴムプロテクタ
１１  段差
１２  突条
１３  開口
１４  第２のリブ
１５  屈曲部
１６  補強材
【図１】
0003639995.tif 000002
【図２】
0003639995.tif 000003
【図３】
0003639995.tif 000004
【図４】
0003639995.tif 000005
【図５】
0003639995.tif 000006
【図６】
0003639995.tif 000007
【図７】
0003639995.tif 000008
【図８】
0003639995.tif 000009
【図９】
0003639995.tif 000010
【図１０】
0003639995.tif 000011
【図１１】
0003639995.tif 000012
【図１２】
0003639995.tif 000013